【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
車両ヘッドランプアセンブリであって、
レンズと、
ランプハウジングとを備え、前記ランプハウジングは、前記レンズと協働してランプチャンバを少なくとも部分的に規定し、前記ランプチャンバは、前記ランプチャンバの外部の周囲大気から概して流動的に分離されており、前記車両ヘッドランプアセンブリはさらに、
前記ランプチャンバに設けられた少なくとも１つのランプを備え、
前記ランプハウジングは、車両ヘッドランプアセンブリが搭載された車両の１つ以上の隣接する構成要素に接続されるとともに前記１つ以上の隣接する構成要素によって加えられる構造負荷に耐えるよう構成された少なくとも１つの構造部材を含み、
前記構造負荷は前記ランプハウジングによって方向付けられる、車両ヘッドランプアセンブリ。
【請求項２】
前記ランプハウジングは、内部フェンダ支持部、ラジエータ支持部／モジュール、車両構造部材、フェンダ、シールド、バッテリボックス、電子制御モジュールおよび補強構造からなる群から選択される前記１つ以上の車両構成要素に接続されるとともに前記１つ以上の車両構成要素によって加えられる前記構造負荷に耐えるよう構成される、請求項１に記載の車両ヘッドランプアセンブリ。
【請求項３】
前記ランプハウジングは、前記少なくとも１つのランプからの熱が前記周囲大気に伝達されるように、前記ランプチャンバの外部の前記周囲大気に晒されるヒートシンクを規定する、請求項１または２に記載の車両ヘッドランプアセンブリ。
【請求項４】
前記ランプハウジングによって規定される前記ヒートシンクはさらに放射要素を含み、前記放射要素は、前記ランプからの熱が前記放射要素を通じて前記周囲大気に伝達されるように、前記ランプチャンバの外部の前記周囲大気に晒される、請求項３に記載の車両ヘッドランプアセンブリ。
【請求項５】
前記放射要素はフィンを含み、前記フィンは、前記ランプからの熱が前記フィンによって前記周囲大気に伝達されるように、前記ランプチャンバの外部の前記周囲大気に晒される、請求項４に記載の車両ヘッドランプアセンブリ。
【請求項６】
前記放射要素はピンを含み、前記ピンは、前記ランプからの熱が前記ピンによって前記周囲大気に伝達されるように、前記ランプチャンバの外部の前記周囲大気に晒される、請求項４に記載の車両ヘッドランプアセンブリ。
【請求項７】
前記少なくとも１つのランプは１つ以上のＬＥＤを含む、請求項１〜６のいずれか１項に記載の車両ヘッドランプアセンブリ。
【請求項８】
前記ランプハウジングによって規定される前記ヒートシンクはさらに、受動的な対流冷却を促進するよう構成された１つ以上の管を含む、請求項３〜６のいずれか１項に記載の車両ヘッドランプアセンブリ。
【請求項９】
前記１つ以上の管は、前記ランプハウジングに固定された別個のバッフルにおいて規定される、請求項８に記載の車両ヘッドランプアセンブリ。
【請求項１０】
前記ランプハウジングは単一の一体型金属片として形成される、請求項１〜９のいずれか１項に記載の車両ヘッドランプアセンブリ。
【請求項１１】
前記ランプハウジングは射出成形によって形成される、請求項１〜１０のいずれか１項に記載の車両ヘッドランプアセンブリ。
【請求項１２】
前記ランプハウジングはチクソ成形によって形成される、請求項１〜１１のいずれか１項に記載の車両ヘッドランプアセンブリ。
【請求項１３】
前記ランプハウジングは、ステンレス鋼、低合金鋼、工具鋼、チタン、コバルト、銅、磁性金属、超硬合金、高融点金属、セラミック、マグネシウム、アルミニウム、およびマグネシウム／アルミニウム合金からなる群から選択される１つ以上の材料から形成される、請求項１〜１２のいずれか１項に記載の車両ヘッドランプアセンブリ。
【請求項１４】
前記少なくとも１つのランプは、前記ランプハウジングに対して封止された状態で取外し可能に装着できる別個のランプサブアセンブリ上に担持される、請求項１〜１３のいずれか１項に記載の車両ヘッドランプアセンブリ。
【請求項１５】
前記ランプハウジングの前記少なくとも１つの構造部材は、少なくとも１つのオートバイ整形板支持構造である、請求項１〜１４のいずれか１項に記載の車両ヘッドランプアセンブリ。
【請求項１６】
前記少なくとも１つのオートバイ整形板支持構造を含む前記ランプハウジングは、単一の一体型金属片として形成される、請求項１５に記載の車両ヘッドランプアセンブリ。
【請求項１７】
前記ランプハウジングの前記少なくとも１つの構造部材は、前記ランプハウジングをヘッドランプ装着構造に接続するための支持構造である、請求項１５または１６に記載の車両ヘッドランプアセンブリ。
【請求項１８】
車両ヘッドランプおよび構成要素アセンブリであって、
レンズと、
ランプハウジングとを備え、前記ランプハウジングは、前記レンズと協働してランプチャンバを少なくとも部分的に規定し、前記ランプチャンバは、前記ランプチャンバの外部の周囲大気から概して流動的に分離されており、前記車両ヘッドランプおよび前記構成要素アセンブリはさらに、
前記ランプチャンバに設けられた少なくとも１つのランプと、
前記ランプハウジングに接続された少なくとも１つの車両構成要素とを備え、前記ランプハウジングは、前記少なくとも１つの車両構成要素によって加えられる構造負荷に耐えるよう構成され、
前記構造負荷は前記ランプハウジングによって方向付けられる、車両ヘッドランプおよび構成要素アセンブリ。
【請求項１９】
前記少なくとも１つの車両構成要素は、内部フェンダ支持部、ラジエータ支持部／モジュール、車両構造部材、フェンダ、シールド、バッテリボックス、電子制御モジュールおよび補強構造のうちの１つである、請求項１８に記載の車両ヘッドランプおよび構成要素アセンブリ。
【請求項２０】
前記ランプハウジングは、前記少なくとも１つのランプからの熱が前記周囲大気に伝達されるように、前記ランプチャンバの外部の前記周囲大気に晒されるヒートシンクを規定する、請求項１８または１９に記載の車両ヘッドランプおよび構成要素アセンブリ。
【請求項２１】
前記ランプハウジングによって規定される前記ヒートシンクはさらに放射要素を含み、前記放射要素は、前記ランプからの熱が前記放射要素を通じて前記周囲大気に伝達されるように、前記ランプチャンバの外部の前記周囲大気に晒される、請求項２０に記載の車両ヘッドランプおよび構成要素アセンブリ。
【請求項２２】
前記放射要素はフィンを含み、前記フィンは、前記ランプからの熱が前記フィンによって前記周囲大気に伝達されるように、前記ランプチャンバの外部の前記周囲大気に晒される、請求項２１に記載の車両ヘッドランプおよび構成要素アセンブリ。
【請求項２３】
前記放射要素はピンを含み、前記ピンは、前記ランプからの熱が前記ピンによって前記周囲大気に伝達されるように、前記ランプチャンバの外部の前記周囲大気に晒される、請求項２１に記載の車両ヘッドランプおよび構成要素アセンブリ。
【請求項２４】
前記少なくとも１つのランプは１つ以上のＬＥＤを含む、請求項１８〜２３のいずれか１項に記載の車両ヘッドランプおよび構成要素アセンブリ。
【請求項２５】
前記ランプハウジングによって規定される前記ヒートシンクはさらに、受動的な対流冷却を促進するよう構成された１つ以上の管を含む、請求項２０〜２３のいずれか１項に記載の車両ヘッドランプおよび構成要素アセンブリ。
【請求項２６】
前記１つ以上の管は、前記ランプハウジングに固定される別個のバッフルにおいて規定される、請求項２５に記載の車両ヘッドランプおよび構成要素アセンブリ。
【請求項２７】
前記ランプハウジングは単一の一体型金属片として形成される、請求項１８〜２６のいずれか１項に記載の車両ヘッドランプおよび構成要素アセンブリ。
【請求項２８】
前記ランプハウジングは射出成形によって形成される、請求項１８〜２７のいずれか１項に記載の車両ヘッドランプおよび構成要素アセンブリ。
【請求項２９】
前記ランプハウジングはチクソ成形によって形成される、請求項１８〜２８のいずれか１項に記載の車両ヘッドランプおよび構成要素アセンブリ。
【請求項３０】
前記ランプハウジングは、ステンレス鋼、低合金鋼、工具鋼、チタン、コバルト、銅、磁性金属、超硬合金、高融点金属、セラミック、マグネシウム、アルミニウム、およびマグネシウム／アルミニウム合金からなる群から選択される１つ以上の材料から形成される、請求項１８〜２９のいずれか１項に記載の車両ヘッドランプおよび構成要素アセンブリ。
【請求項３１】
前記少なくとも１つのランプは、前記ランプハウジングに対して封止された状態で取外し可能に装着できる別個のランプサブアセンブリ上に担持される、請求項１８〜３０のいずれか１項に記載の車両ヘッドランプおよび構成要素アセンブリ。